(57)【要約】      （修正有）【課題】単純な構造で、１台の容器で従来の茹でる処理の他に、蒸し器としても使用でき、シュウマイ等の揚げ物と水とを入れて第一蓋体で蓋をした後に、電子レンジ等で加熱すると揚げ物を蒸して柔らかい食材とすることができる多目的調理容器を提供する。【解決手段】容器本体底部に複数の凸状の突起体を設け、この突起体の上に材料を置き、突起体の頂上面より下に水を張って蒸すと蒸し器としても使用でき、更に上蓋である第一蓋体の内側に装着できる把持部付き第二蓋体を取り付けることによって密封容器としても使用可能な多目的調理容器。【選択図】図１
2005270485.tif 000002
【特許請求の範囲】
【請求項１】
容器本体と、該容器上部側面に嵌合する第一蓋体とからなる多目的容器であって、前記第一蓋体には排水孔を備え、さらに該第一蓋体上部に装着する第二蓋体を設けてなることを特徴とする多目的調理容器。
【請求項２】
前記第一蓋体は、排水孔と計量孔とを備えていることを特徴とする請求項１記載の多目的調理容器。
【請求項３】
前記第二蓋体は、中央部に左右が凹状となっている把持部を有することを特徴とする請求項１記載の多目的調理容器。
【請求項４】
前記容器本体底部には、複数の凸状の突起体を設けていることを特徴とする請求項１記載の多目的調理容器。
【請求項５】
前記容器本体の底部形状は、容器本体の外周より小さい構造となっていることを特徴とする請求項の多目的調理容器。
【発明の詳細な説明】
【技術分野】
【０００１】
本発明は、パスタ等の乾燥麺類を電子レンジを用いて茹でるための容器であり、容器本体底部に複数の凸状突起体を設けることによって蒸し器としても使用でき、更に第二蓋体を取り付けることによって密封容器としても使用可能な多目的調理容器に関するものである。
【背景技術】
【０００２】
従来のパスタ容器は底部が平ら状である本体容器と、上蓋にはパスタ類を計量する計量孔と、茹でた後の温湯を流出する排水孔とを設けた上蓋とからなる容器が用いられている。
【０００３】
この容器における計量孔は、上蓋の計量孔の経と同じ経の一握りのパスタ量が丁度一人前の基準となるように設計されているため、調理する際に一握りのパスタを計量孔に通して計量して適量で調理ができるように工夫されている。
【０００４】
次いで、容器本体内部に計量孔を通されたパスタ類と所定量の水とを入れて一定時間電子レンジで調理し、その後で上蓋をして容器を逆にすると、上蓋の排水孔から容器内部の温湯を抜いて、次いで、茹で上がったパスタを皿の上に取りだして調理するようにしている。
【発明の開示】
【発明が解決しようとする課題】
【０００５】
しかしながら上記の従来容器は、一定量のパスタ類を茹でることを目的とするために第一蓋体に設けられた計量孔や排水孔のために密封容器としては使用ができず、また底部面が平らであることから蒸し器としても使用が出来ない等の欠点があった。
【０００６】
また、これらの容器を整理するために上蓋をしたまま重ねた場合には、底部が平らであるために滑りやすく崩れやすいという欠点があった。
【課題を解決するための手段】
【０００７】
本発明者は、係る課題を解決するために鋭意研究したところ、容器本体底部に複数の凸状の突起体を設け、この突起体の上に材料を置き、突起体の頂上面より下に水を張って蒸すと蒸し器としても使用でき、更に上蓋である第一蓋体の内側に装着できる把持部付き第二蓋体を取り付けることによって密封容器としても使用可能な多目的調理容器を提供することが出来た。
【０００８】
即ち本発明の第一は、容器本体と、該容器上部側面に嵌合する第一蓋体とからなる多目的容器であって、前記第一蓋体には排水孔を備え、さらに該第一蓋体上部に装着する第二蓋体を設けてなることを特徴とする多目的調理容器である。
【０００９】
本発明の第二は、前記第一蓋体は、排水孔と計量孔とを備えていることを特徴とする請求項１記載の多目的調理容器である。
【００１０】
本発明の第三は、前記第二蓋体は、中央部に左右が凹状となっている把持部を有することを特徴とする請求項１記載の多目的調理容器である。
【００１１】
本発明の第四は、前記容器本体底部には、複数の凸状の突起体を設けていることを特徴とする請求項１記載の多目的調理容器である。
【００１２】
本発明の第五は、前記容器本体の底部形状は、容器本体の外周より小さい構造となっていることを特徴とする請求項記載の多目的調理容器である。
【発明の効果】
【００１３】
本発明容器は上記のように単純な構造であるが、１台の容器で従来の茹でる処理の他に、蒸し器としても使用できるために、シュウマイ等の揚げ物と水とを入れて第一蓋体で蓋をした後に、電子レンジ等で加熱すると揚げ物を蒸して柔らかい食材とすることができる。
【００１４】
また別な使い方としては、油分を含んだ焼き鳥や食肉等を本容器本体底部の突起体の上に載置して電子レンジで加熱処理すると、肉汁等の余分な油分が分離して突起体の底部に流れ落ちる構造となっている。
【００１５】
さらに第二蓋体を嵌合することで密閉容器として素材の保管容器としても使用できる他に、底部が丁度他の容器の蓋体内周面に収納されるて重なりあうように設計されているために複数の容器を重ね合わせてもずれ落ちないという特徴を有する容器である。
【発明を実施するための最良の形態】
【００１６】
以下に図面をもって本発明の容器を説明するが、本発明の範囲はこれらに限定されるものではない。
【実施例１】
【００１７】
図１は、本発明容器の全体を示す斜視図である。本発明容器は、耐熱性ポリプロピレン素材からなる本体容器１と、第一蓋体２、第二蓋体３から構成され、さらに本体容器の底部４は、本体容器の躯体外周より狭い構造となり、本発明に係る他の容器と重ね合わせが容易にできるようになっている。なお、本発明容器素材としては、上記ポリプロピレン素材のみならず、耐熱性を有する素材であれば当然に使用可能である。
【００１８】
図２は、第一蓋体２を示す平面図であるが、この蓋体の外周サイズは一例として縦１０２ｍｍ、横幅２８０ｍｍ、高さ１２ｍｍの略長方形状体であるが、平面上にパスタ類を計量するための計量孔５、内部の水分を排出するための排水口６、第二蓋体の把持部１１に相応する凹状の窪み部１０を有している。
【００１９】
この第一蓋体２は、外周面に沿って本体容器の外周に嵌合するための逆Ｕ字状の側端部８を有しており、本体容器１外周の逆Ｕ字状の側端部７と押し重なるように設計され、また左右側部の中心部において、側端部８の幅を他の箇所より幅広く取り２ヶ所ずつ天面シボ処理した突起体９を設けて、水切りの際に手が滑らないようにしている。
【００２０】
さらに前記第二蓋体を収納するために、上記把持部のサイズより若干広い横幅７０ｍｍ、縦幅３６ｍｍの窪み部１０を有する凸状部１１を設けて計量孔５や排出孔６等の高さ面より高くなるように段差を設けている。
【００２１】
図３は、前記第一蓋体の内周壁に沿って装着する第二蓋体３を示す平面図である。この蓋体の外周は一例として縦幅７８ｍｍ、横幅２６６ｍｍ、高さ５ｍｍの大きさの長方形状蓋体であるが、中心部には前記第一蓋体の凹状の窪み部１０に相応するように左右に凹んだ形状を有する把持部１２と該把持部１２を囲む第二凸状部１３を設けてあり、この第二凸状部１３は前記第一蓋体の凸状部１１とそれぞれ相応するようになっている。
【００２２】
図４は、本発明容器の正面図である。本体容器１及び第一蓋体２の側面は若干ウエーブ状となっており、視覚的にファッショナブルな形状としている。  
【００２３】
図５は、図１におけるＡ−Ａ’断面図である。本体容器１の底部には、複数の凸状突起体１４を設けて揚げ物等の材料がこの突起体１４の上に位置するように、突起体１４を底部全面、或いは任意な箇所に設け、水等がこの突起体１４の頂部より下側になるように入れて蒸してもよい。
【００２４】
図６は、底部側から見た図１における本体容器の底面図である。底面部４は、本体容器１の躯体外周より小さい外面積を有し、底面部内に複数の凸状突起体１４を設けている。
【００２５】
図７は、図１におけるＢ−Ｂ’断面図である。第二蓋体３に設けられた把持部１２は、第一蓋体２の凹状の窪み部１０の楕円面と相応するように楕円形状に作られ、また第二側端部１４は、第一蓋体２の内周面に沿って装着するようにして、第一蓋体２の計量孔５及び排水孔６とを塞ぎ、密封状態にできるように設計されている。
【００２６】
内部の水分を排出して乾燥した本体容器に、野菜や漬け物等を入れて、第一蓋体２及び第二蓋体３とで蓋をして密封状態にして冷蔵庫や冷凍室等に入れておけば、内部の素材の防腐予防に役立つ容器としても使用可能である。
【００２７】
さらに他の用途として、焼き鳥や焼き肉等の油分を多く含む食材を加熱調理する場合に、これらの食材を本体容器１の底部に設けた突起体９に載置して電子レンジで加熱処理すると、余分な油分が突起体９の下側に流れ油分分離が可能となるためにより健康な食生活に寄与できる多目的調理容器となっている。
【図面の簡単な説明】
【００２８】
【図１】本発明容器の全体を示す斜視図である。
【図２】第一蓋体を示す平面図である。
【図３】第二蓋体を示す平面図である。
【図４】本発明容器の正面図である。
【図５】図１におけるＡ−Ａ’断面図である。
【図６】底部側から見た本体容器の底面図である。
【図７】図１におけるＢ−Ｂ’断面図である。
【図８】図１の側面図である。
【符号の説明】
【００２９】
１・・・・本体容器
２・・・・第一蓋体
３・・・・第二蓋体
４・・・・底面部
５・・・・挿通孔
６・・・・排水口
７・・・・側端部（本体容器）
８・・・・側端部（第一蓋体）  
９・・・・突起体
１０・・・窪み部
１１・・・凸状部
１２・・・把持部
１３・・・第二凸状部
１４・・・第二端部
１５・・・突起体
【図１】
2005270485.tif 000003
【図２】
2005270485.tif 000004
【図３】
2005270485.tif 000005
【図４】
2005270485.tif 000006
【図５】
2005270485.tif 000007
【図６】
2005270485.tif 000008
【図７】
2005270485.tif 000009
【図８】
2005270485.tif 000010